(57)【要約】【課題】  水栓本体の左右いずれにエルボを取り付ける場合であっても、エルボ及びシャワー配管を共用可能とすることにより、水栓の製造コストを低減させることを低減し、また、エルボ及びシャワー配管の組み付け作業の簡略化を図ること。【解決手段】  エルボ側接続部６４に、水栓本体側接続部６２の軸心と平行であってエルボ側接続部６４の軸心と交差する第一中心線Ａの両側の等角度の位置に被当接部７０ａ，７０ｂを設け、シャワー配管側接続部８２に、ホース側接続部８４の軸心と平行であってシャワー配管側接続部８２の軸心と交差する第二中心線Ｂの両側の等角度の位置に当接部９０ａ，９０ｂを設けた。    【選択図】    図６
2008255692.tif 000002
【特許請求の範囲】
【請求項１】
水栓本体の接続部に一端側が接続されるシャワー配管と、シャワー配管の他端側に回動可能に取り付けられるエルボと、エルボに接続されるシャワーホースとを備え、該エルボの回動可能範囲を規制するシャワー水栓のエルボの回動規制構造であって、
該シャワー配管には、水栓本体側接続部と該水栓本体側接続部から屈曲形成されたエルボ側接続部とが備えられ、該エルボ側接続部が前記水栓本体の左側または右側に向けられた状態で前記接続部に接続固定可能に設けられ、
該エルボには、シャワー配管側接続部と該シャワー配管側接続部から屈曲形成されたホース側接続部とが備えられ、
前記エルボ側接続部には、前記水栓本体側接続部の軸心と平行であって前記エルボ側接続部の軸心と交差する第一中心線の両側に９０度以内の等角度の位置に被当接部が設けられ、
前記シャワー配管側接続部には、前記ホース側接続部の軸心と平行であって前記シャワー配管側接続部の軸心と交差する第二中心線の両側に９０度以内の等角度の位置に当接部が設けられたことを特徴とするシャワー水栓のエルボの回動規制構造。
【請求項２】
水栓本体の接続部に一端側が接続されるシャワー配管と、シャワー配管の他端側に回動可能に取り付けられるエルボと、エルボに接続されるシャワーホースとを備え、該エルボの回動可能範囲を規制するシャワー水栓のエルボの回動規制構造であって、
該シャワー配管には、水栓本体側接続部と該水栓本体側接続部から屈曲形成されたエルボ側接続部とが備えられ、該エルボ側接続部が前記水栓本体の左側または右側に向けられた状態で前記接続部に接続固定可能に設けられ、
該エルボには、シャワー配管側接続部と該シャワー配管側接続部から屈曲形成されたホース側接続部とが備えられ、
前記エルボ側接続部には、前記水栓本体側接続部の軸心と直交するとともに前記エルボ側接続部の軸心と交差する第一中心線の両側に９０度以内の等角度の位置に被当接部が設けられ、
前記シャワー配管側接続部には、前記ホース側接続部の軸心と直交するとともに前記シャワー配管側接続部の軸心と交差する第二中心線の両側に９０度以内の等角度の位置に当接部が設けられたことを特徴とするシャワー水栓のエルボの回動規制構造。
【請求項３】
前記シャワー配管のエルボ側接続部の端面に前記被当接部を、前記エルボのシャワー配管側接続部の端面に前記当接部を設けたことを特徴とする請求項１または請求項２に記載のシャワー水栓のエルボの回動規制構造。
【請求項４】
前記被当接部または前記当接部の少なくとも一方を、前記エルボ側接続部の前記第一中心線または前記シャワー配管側接続部の前記第二中心線と交差する接続部の二箇所にそれぞれ設けたことを特徴とする請求項１から請求項３のいずれかに記載のシャワー水栓のエルボの回動規制構造。
【請求項５】
前記シャワー水栓の左右に設けられたハンドルがシャワー水栓の左右対称位置に取り付けられたことを特徴とする請求項１から請求項４のいずれかに記載のシャワー水栓のエルボの回動規制構造。
【請求項６】
前記シャワー水栓の左右に設けられたハンドルが左右対称形状に設けられたことを特徴とする請求項５に記載のシャワー水栓のエルボの回動規制構造。
【発明の詳細な説明】
【技術分野】
【０００１】
本発明は、水栓に取り付けられるシャワー水栓のエルボの回動規制構造に関する。
【背景技術】
【０００２】
従来、シャワーホースが接続された水栓が知られており、このような水栓では、シャワーホースは、屈曲形成されたエルボを介して水栓本体に接続された配管などに接続されている。このようなエルボは、シャワーホースを引っ張った方向にエルボの先端が向くようにするために、水栓本体に接続されるシャワー配管に対して回動自在に接続されて、シャワーホースを使用する際の操作性を損ねないように構成されていることが多い。一方で、エルボが全く自由に回動可能に設けられると、シャワーホースが、水栓周りの他の水栓設備に接触して不具合が生じたり、水栓の操作ハンドルに接触し吐水温度などが意図せずに変更されてしまうなどの問題が生ずる。そこで、エルボを回動可能に設けつつ、一定の回動角度において互いに当接してその回動範囲を一定に規制する規制部を備えた回動規制構造を設けていた（例えば、特許文献１参照。）
【０００３】
【特許文献１】特開２００１−１７３０４０号公報（図１）
【発明の開示】
【発明が解決しようとする課題】
【０００４】
ところで、このような水栓におけるエルボの取付位置は、水栓の設置場所と他の浴室設備との位置関係などを理由として、水栓本体の別異の部位に定められることがある。例えば、水栓本体の左右の近接した位置にキャビネットが設けられる場合、シャワーホースがキャビネットに干渉し難くするために、キャビネットとは反対側の水栓本体側面にエルボが取り付けられる。このように、水栓本体に対するエルボの取付位置は、水栓の設置環境によって適宜選択される。
【０００５】
従来のエルボの回動規制構造では、水栓本体の左側または右側にエルボを取り付ける場合の各々において、所定角度でのエルボの回動を規制するようにした規制部を設けたエルボ及びシャワー配管をそれぞれ用意していた。したがって、金型作成コストが嵩み、また、水栓出荷時において、あらかじめ水栓本体の左右それぞれに対応できるエルボ及びシャワー配管を２セット用意しておく必要があるなどの問題が生じていた。
【０００６】
本発明は上記した従来のシャワー水栓のエルボの回動規制構造の問題点を解消するものであり、水栓本体の左右いずれにエルボを取り付ける場合であっても、エルボ及びシャワー配管を共用可能とすることにより、水栓の製造コストを低減させることを低減し、また、エルボ及びシャワー配管の組み付け作業の簡略化を図ることを目的とする。
【課題を解決するための手段】
【０００７】
以上の課題を解決するために、本発明の採った手段を以下に説明する。本発明のシャワー水栓のエルボの回動規制構造は、水栓本体の接続部に一端側が接続されるシャワー配管と、シャワー配管の他端側に回動可能に取り付けられるエルボと、エルボに接続されるシャワーホースとを備え、該エルボの回動可能範囲を規制するシャワー水栓のエルボの回動規制構造であって、該シャワー配管には、水栓本体側接続部と該水栓本体側接続部から屈曲形成されたエルボ側接続部とが備えられ、該エルボ側接続部が前記水栓本体の左側または右側に向けられた状態で前記接続部に接続固定可能に設けられ、該エルボには、シャワー配管側接続部と該シャワー配管側接続部から屈曲形成されたホース側接続部とが備えられ、前記エルボ側接続部には、前記水栓本体側接続部の軸心と平行であって前記エルボ側接続部の軸心と交差する第一中心線の両側に９０度以内の等角度の位置に被当接部が設けられ、前記シャワー配管側接続部には、前記ホース側接続部の軸心と平行であって前記シャワー配管側接続部の軸心と交差する第二中心線の両側に９０度以内の等角度の位置に当接部が設けられたことを特徴とするシャワー水栓のエルボの回動規制構造（請求項１）。
【０００８】
このように当接部及び被当接部を設けることにより、水栓本体の左右いずれにエルボを取り付ける場合であっても、すなわち、シャワー配管のエルボ側接続部に対してエルボのシャワー配管側接続部を１８０度回転させた角度に取り付ける場合であっても、エルボ側接続部に対してエルボを同様の角度に回動させた時に当接部と被当接部が当接される。よって、水栓本体の左側・右側のいずれにエルボを取り付ける場合であっても、同一のエルボ及びシャワー配管を用いて、左右共に同じ角度でエルボの回動を規制することができる。
【０００９】
また、水栓本体の接続部に一端側が接続されるシャワー配管と、シャワー配管の他端側に回動可能に取り付けられるエルボと、エルボに接続されるシャワーホースとを備え、該エルボの回動可能範囲を規制するシャワー水栓のエルボの回動規制構造であって、該シャワー配管には、水栓本体側接続部と該水栓本体側接続部から屈曲形成されたエルボ側接続部とが備えられ、該エルボ側接続部が前記水栓本体の左側または右側に向けられた状態で前記接続部に接続固定可能に設けられ、該エルボには、シャワー配管側接続部と該シャワー配管側接続部から屈曲形成されたホース側接続部とが備えられ、前記エルボ側接続部には、前記水栓本体側接続部の軸心と直交するとともに前記エルボ側接続部の軸心と交差する第一中心線の両側に９０度以内の等角度の位置に被当接部が設けられ、前記シャワー配管側接続部には、前記ホース側接続部の軸心と直交するとともに前記シャワー配管側接続部の軸心と交差する第二中心線の両側に９０度以内の等角度の位置に当接部が設けられたことを特徴とするシャワー水栓のエルボの回動規制構造（請求項２）とすることによっても、前述と同様に、水栓本体の左側・右側のいずれにエルボを取り付ける場合であっても、同一のエルボ及びシャワー配管を用いて、左右共に同じ角度でエルボの回動を規制することができる。
【００１０】
これらの回動規制構造において、被当接部及び当接部は、第一中心線及び第二中心線の両側にそれぞれ９０度以内に設けることにより、水栓の左右におけるエルボの取付位置を変更した際にも、当接部及び被当接部が重なり合ってエルボを組み付け不能とならないようにすることができる。
【００１１】
当接部及び被当接部は、前述した角度の位置で当接可能な部材であれば良く、左右の等角度の位置を結ぶ円弧状の突条としたり、また、左右の等角度の位置にそれぞれ突設した突起などとしたりすることができる。要するに、左右に等間隔の位置において互いに当接可能な突条、突部、段部など当接可能であればその具体的形状・大きさなどを限定されない。
【００１２】
また、被当接部は、シャワー配管のエルボ側接続部に設けられていれば良く、エルボ側接続部の端面、外周面または内周面のいずれに設けても良い。同様に、当接部は、シャワー配管側の被当接部が設けられる位置に対応していれば、エルボのシャワー配管側接続部の端面、外周面または内周面のいずれに設けても良い。シャワー配管とエルボとが挿嵌接続される場合には、一方の外周面と他方の内周面に当接部または被当接部を設けることとしても良い。
【００１３】
一方、シャワー配管のエルボ側接続部の端面に被当接部を、エルボのシャワー配管側接続部の端面に当接部を、それぞれ設けることとすると（請求項３）、それぞれの部材の型抜きが容易となる点で製造コストを低減させることができる。
【００１４】
また、前記被当接部または前記当接部の少なくとも一方を、前記エルボ側接続部の前記第一中心線または前記シャワー配管側接続部の前記第二中心線と交差する接続部の二箇所にそれぞれ設けることとしても良い（請求項４）。
【００１５】
このように、当接部または被当接部の少なくとも一方を、中心線が交差する接続部の二箇所に設けることにより、水栓本体の左右いずれにエルボを取り付ける場合であっても、エルボの下向き寄りの回動規制および上向き寄りの回動規制の両方を同時に行うことができる。
【００１６】
また、このような回動規制構造を、シャワー水栓の左右に設けられたハンドルがシャワー水栓の左右対称位置に取り付けられているものに用いることとしても良い（請求項５）。
【００１７】
水栓本体の左右に、温度調節ハンドル及び吐水切換ハンドルの二つのハンドルが設けられる２ハンドル水栓などにおいては、吐水温度や吐水量が変わってしまわないようにするために、何れのハンドルについてもシャワーホースが干渉することを回避したい。これらのハンドルが水栓本体に左右対称に取り付けられている場合には、本回動規制構造の同一のエルボ及びシャワー配管を利用して、左右いずれにエルボを取り付ける場合であっても、シャワーホースを両ハンドルのいずれにも接触し難くすることができる。また、さらに両ハンドルが左右対称形状に設けられている場合（請求項６）には、エルボが回動してもホースが接触しない角度が同一となるため、水栓の左右いずれに取り付けても同一角度にエルボの回動を規制することのできる本回動規制構造が特に有効である。
【発明の効果】
【００１８】
本発明は上記のように当接部および被当接部が構成されることにより、水栓周りの水栓設備やシャワー水栓の部材へのホースの接触を防止することができ、水栓設備や水栓の部材の誤操作や破損を防止することができ、また、シャワー水洗の使い勝手を向上させることができる。
【発明を実施するための最良の形態】
【００１９】
次に、本発明の水栓のエルボの回動規制構造の実施の形態を図を参考にして詳細に説明する。図１に示すように、本発明の回動規制構造Ｙは、側面視において倒立Ｌ字状に形成された水栓１のエルボ８０の回動を規制するものである。水栓１は、後述する水栓本体２０がカバー９により覆われたカバー水栓であり、カバー９には、縦長矩形状の板状の背面部２と、背面部２の上端から正面側斜め上方に向けて屈曲連設されるとともに平面視正方形状の板状に形成される平面部３とが備えられている。
【００２０】
平面部３の左右側面には、左に温度調節ハンドル４、右に切換ハンドル５が取り付けられている。両ハンドル４，５は、水栓１の左右側面のほぼ同位置に設けられており、その取付位置の高さ・水栓１背面からの距離がほぼ同じく設けられている。また、両ハンドル４，５の形状は、温度調節ハンドル４には高温吐水時に押動操作するための安全ボタン１６が設けられている点以外には左右対称の形状に設けられている。両ハンドル４，５は、図４にも示すように、側面視下向きの「かまぼこ型」状に形成されるとともに、上端部に沿って側方に向けて把手１７が延設される形状とされている。
【００２１】
図４に示すように、温度調節ハンドル４よりも奥側の平面部３左側面には、ビニール管であるシャワーホース７が接続されるエルボ８０が突設されている。後述するように、このエルボ８０は、回動自在に取り付けられるとともに、下向き前方側には僅かな角度にて回動が規制されるように構成されている。また、平面部３下部には吐水口６が突設されている。そして、温度調節ハンドル４の操作により、適宜の温度に調節された混合水が、切換ハンドル５の操作により吐水口６又はシャワーのいずれかからの吐水及びその吐水量を調節されて吐出されるように構成されている。
【００２２】
ついでカバー９について説明する。図２に示すように、カバー９は、水栓本体２０の上部を覆う上部カバー１０と、水栓ボディ２２の下部を覆うボディカバー１１と、水栓ボディ２２の下方の配管３２，３４を覆う配管カバー１２とから構成されている。上部カバー１０は水栓ボディ２２の先端寄りの部分に被さるようにして、吐水口６の後方の部位において、下部よりボルト１３によって水栓ボディ２２に固定されるとともに、水栓ボディ２２上部の部位においてサポートバー１４により、その裏側から当接保持されている。また、ボディカバー１１は、吐水口６の後方の部位において上部カバー１０とともにボルト１３によって水栓ボディ２２に固定されている。そして、上部カバー１０及びボディカバー１１の下部に、配管カバー１２が組み付けられている。
【００２３】
図２及び図３に示すように、水栓１の内部には、水栓本体２０、水栓本体２０を立壁面Ｘに固定するためのステー５０、水栓本体２０に接続される湯側・水側の配管３２，３４及び配管３２，３４を立壁面Ｘに固定するための配管ステー３６などが収容されている。
【００２４】
水栓本体２０の円筒状の水栓ボディ２２内には、温度調節カートリッジ２４及び切換弁カートリッジ２６が内蔵されており、これらに接続固定される温度調節ハンドル４または切換ハンドル５の操作により、温度調節弁または切換弁が駆動操作される。また、水栓ボディ２２のほぼ中央部下面には、前述した吐水口６が突設されている。
【００２５】
水栓ボディ２２の背面側の左右両側には接続部２７ａ、２７ｂが突設され、これらの接続部２７ａ、２７ｂ間には接続部３０が突設されている。そして、接続部２７ａ，２７ｂには、クランク形状に屈曲形成された湯側・水側の継手２８ａ、２８ｂがおのおの接続されている。継手２８ａ、２８ｂの水栓側接続部４０には、逆流防止弁ユニット４２がそれぞれ内蔵されている。また、継手２８ａ，２８ｂの主体部４４には、止水栓ユニット４６がそれぞれ内蔵されている。
【００２６】
また、継手２８ａ、２８ｂの他端側には、それぞれ、湯側・水側の配管３２，３４が接続されている。配管３２，３４は、継手２８ａ、２８ｂから下方に向かって垂下され、水栓１の下方に突設されて、さらに、図示しない浴室のカウンター内部に引き回されて、カウンターの裏面側から立壁面Ｘの外部から引き込まれた給湯配管・給水配管の端末（図示省略）に接続されている。そして、配管３２，３４の下方寄りは、ねじ１５により配管ステー３６を介して立壁面Ｘに固定されている。
【００２７】
また、継手２８ａ，２８ｂの主体部４４の後端下方寄りには、主体部４４を立壁面Ｘに固定するための固定孔４５が、各継手２８ａ、２８ｂに、左右に一つずつ設けられている。そして、継手２８ａ，２８ｂの主体部４４の後端上面には、固定孔４５が設けられるとともに後述するステー５０がねじ５２により固定される固定部５４が突設されている。また、ステー５０の上部には、立壁面Ｘにステー５０を固定するワッシャー付きねじ５５が取り付けられている。
【００２８】
そして、図３に示すように、水栓本体２０の接続部３０には、混合水をシャワーに供給するためのシャワー配管６０が接続されている。シャワー配管６０の他端側は、水栓１の正面視左側面から突設されて、接続金具５６を介してエルボ８０に接続されている。なお、後述するが、図３に点線で示すように、シャワー配管６０は、接続部３０に対して１８０度回転させて、水栓１の正面視右側面から突設するように接続固定することもできる。
【００２９】
図５にも示すように、シャワー配管６０は、略「Ｌ字状」の全体形状に形成されている。シャワー配管６０には、水栓本体２０の接続部３０に接続される水栓本体側接続部６２と、この水栓本体側接続部６２の軸心に対して９０度の角度に屈曲形成されたエルボ側接続部６４とが備えられている。水栓本体側接続部６２には、接続部３０に接続するための袋ナット６６が取り付けられている。また、エルボ側接続部６４の先端寄り外周面には、後述するエルボ８０の袋ナット８６が螺着される雄ねじ６５が刻設されており、この雄ねじ６５よりも先端寄り外周面にはＯリング６７が装着されている。なお、シャワー配管はこのように９０度に屈曲形成されたものに限らず、例えば８０度や１００度など他の角度に屈曲形成されるものでも良い。
【００３０】
エルボ側接続部６４は水栓１の平面部３の左側面からその先端が突設されている。図５及び図６に示すように、エルボ側接続部６４の先端開口部の端面には、水栓本体側接続部６２の軸心と平行であってエルボ側接続部６４の軸心と交差する第一中心線Ａにおいて、この第一中心線Ａの両側に４０度の位置まで延設された円弧形状の突条６８が形成されている。そしてこの突条６８の側面両端部が本発明に言う被当接部７０ａ，７０ｂとされている。また、エルボ側接続部６４の先端より僅かに基端側の外周面には、フランジ７２が周設されている。
【００３１】
エルボ８０は、図５に示すように、略「Ｌ字状」の全体形状に形成されている。エルボ８０には、シャワー配管６０のエルボ側接続部６４に接続されるシャワー配管側接続部８２と、このシャワー配管側接続部８２に対して９０度の角度に屈曲形成されたホース側接続部８４とが備えられている。また、シャワー配管側接続部８２には、エルボ側接続部６４に接続するための袋ナット８６が取り付けられている。なお、エルボについてもこのように９０度に屈曲形成されたものに限らず、例えば８０度や１００度など他の角度に屈曲形成されるものでも良い。
【００３２】
図５及び図６に示すように、シャワー配管側接続部８２の先端開口部の端面には、ホース側接続部８４の軸心と平行であってシャワー配管側接続部８２の軸心と交差する第二中心線Ｂにおいて、この第二中心線Ｂの両側に３９度の位置まで延設された円弧形状の突条８８が形成されている。そしてこの突条８８の側面両端部が本発明に言う当接部９０ａ，９０ｂとされている。
【００３３】
ついで、本回動規制構造Ｙの作用について説明する。図４に示すように、本回動規制構造Ｙは、水栓１の左側面に突設されたエルボ８０について、そのホース側接続部８４を下向きにして、前方側への回動を、鉛直線から１１度までの範囲内に規制するものである。このようにして、ホース側接続部８４に接続されるシャワーホース７が温度調節ハンドル４に接触しないように構成されている。これにより、温度調節ハンドル４が不意に操作されて混合水の温度が変更されてしまうことを防止する。
【００３４】
図６（ａ）に示したように、エルボ８０のホース側接続部８４の軸心がシャワー配管６０の水栓本体側接続部６２の軸心と直交する向きにおかれた状態において、エルボ８０の突条８８は、第二中心線Ｂを挟んで両側に３９度の位置に、その当接部９０ａ，９０ｂが位置することになる。一方、この状態で、シャワー配管６０の突条６８は、水栓１の背面側（図中左側）において、第一中心線Ａを挟んで両側に４０度の位置に被当接部７０ａ，７０ｂが位置することになる。よって、この状態からエルボ８０を反時計回りに回動させようとすると、エルボ８０が１１度回動したときに左側の当接部９０ａが被当接部７０ａに当接し、それ以上エルボ８０が反時計回りに回動しないように規制される。これにより、シャワーホース７が温度調節ハンドル４に接触しないように構成されている。
【００３５】
ついで、図３及び図６（ｂ）に示したように、水栓１の右側面方向にシャワー配管６０を向けてエルボ８０を取り付けた場合には、シャワー配管６０の突条６８は、水栓１の背面側（図中右側）において、第一中心線Ａを挟んで両側に４０度の位置に被当接部７０ａ，７０ｂが位置することになる。この状態からエルボ８０を時計回りに回動させようとすると、エルボ８０が１１度回動したときに右側の当接部９０ａが上側の被当接部７０ｂに当接し、それ以上エルボ８０が反時計回りに回動しないように規制される。これにより、シャワーホース７が切換ハンドル５に接触しないように構成されている。
【００３６】
このようにして、水栓１の左右側面のいずれにエルボ８０を取り付けるものとしても、シャワー配管６０およびエルボ８０を変更することなく、同一の角度にてエルボ８０の回動を規制することができ、水栓１左側の温度調節ハンドル４または水栓１右側の切換ハンド５のいずれにもシャワーホース７が接触しないように構成されている。なお、本例では背面側へのエルボ８０の回動は規制されていないが、シャワーホース７が立壁面Ｘに接触する距離に設けられているので、シャワーホース７が下方に向いた状態からエルボ８０が水栓１背面側に所定以上回動することはない。よって、被当接部７０および当接部９０は、エルボ８０の背面側への回動規制を行うように構成する必要はない。一方、エルボ８０のホース側接続部８４が水栓１背面側に所定以上回動しないように規制したい場合には、上記の実施の形態では水栓本体側接続部６２と反対側の部位に設けられている突条６８を、水栓本体側接続部６２と同じ側のエルボ側接続部６４の部位に設けることとするか、あるいは、上記の実施の形態ではホース側接続部８４と反対側の部位に設けられている突条８８を、ホース側接続部８４と同じ側のシャワー配管側接続部８２の部位に設けることとすれば可能である。
【００３７】
なお、本発明は上記した実施の形態に限られるものではなく、本発明の趣旨の範囲内で種々の変更が可能である。回動を規制する角度は適宜変更することができ、この場合には、被当接部７０または／及び当接部９０の設けられる位置を変更することで対応することができる。但し、第一中心線Ａ及び第二中心線Ｂの両側にそれぞれ９０度を超えた位置に設けると、水栓１の左右におけるエルボ８０の取付位置を変更した際に、当接部及び被当接部が重なり合ってエルボ８０のシャワー配管６０への取付ができなくなる。よって、各中心線の両側にそれぞれ９０度以内の範囲に収める必要がある。なお、以下においては、上記した第一の実施の形態と共通する構成については、第一の実施の形態と同一の符号を図に付して説明を省略する。また、以降の説明においては、上記実施の形態と同様に、図の（ａ）が水栓１の左側面にエルボ８０が取り付けられた状態の回動規制構造Ｙの正面図を示し、図の（ｂ）が水栓１の右側面にエルボ８０が取り付けられた状態の回動規制構造Ｙの正面図を示す。
【００３８】
本実施の形態では、シャワー配管６０の突条６８を、エルボ側接続部６４の開口端面において水栓本体側接続部６２の突設方向と反対側の部位に設けるとともに、エルボ８０の突条８８を、シャワー配管側接続部８２の開口端面においてホース側接続部８４の突設方向と反対側の部位に設けることとしているが、図７に示すように、これとは逆に、シャワー配管６０の突条６８を、エルボ側接続部６４の開口端面において水栓本体側接続部６２の突設方向と同じ側の部位に設けるとともに、エルボ８０の突条８８を、シャワー配管側接続部８２の開口端面においてホース側接続部８４の突設方向と同じ側の部位に設けることもできる。
【００３９】
また、本実施の形態では、被当接部７０及び当接部９０を突条６８，８８の端部にて構成したがこれに限られず、例えば、図８に示すように、被当接部及び当接部と同様の位置に設けられた突起９８，９９にて構成することとしても良い。
【００４０】
また、例えば、図９に示すように、シャワー配管６０のエルボ側接続部６４の開口端面に、第一中心線Ａの両側に凹設される円弧状の凹部９２ａ，９２ｂを２箇所設ける一方、エルボ８０のシャワー配管側接続部８２の開口端面に、この凹部９２ａ，９２ｂ内に収容可能な突条９４を、第二中心線Ｂから時計回りに９０度変位した位置を中心に両側に等角度に設けることとしても良い。この態様においては、突条９４の当接部９０ａ，９０ｂは、凹部９２ｂ内の段部９３に当接することになる。また、この場合には、突条９４に代えて、第二中心線Ｂから反時計回りに９０度変位した位置を中心にして等角度に突条９５（二点鎖線にて図示）を設けることも可能である。また、エルボ８０を前述した方向と反対側に回動させる場合にも、当接部９０が凹部９２ａ，９２ｂの段部に当接するので、これらの態様においては、同時に、エルボ８０のホース側接続部８４が下向きの状態から水栓１背面側へ所定以上回動しないように規制することも可能となる。
【００４１】
また、図１０に示すように、シャワー配管６０のエルボ側接続部６４の内周面及びエルボ８０のシャワー配管側接続部８２の内周面にそれぞれ突条９６，９７などを設けて、相互に当接可能に設けることもできる。しかしながら、混合水の流量に支障を与え難くするためには、上記実施の形態のように開口部端面に突条などを設けることが望ましい。また、同様に、エルボ側接続部６４の外周面及びシャワー配管側接続部８２の外周面に突条などを設けることもできる。
【００４２】
また、図１１に示すように、水栓本体側接続部６２の軸心と直交する第一中心線Ａの両側に等角度に被当接部７０が位置するように突条６８などを設ける一方、エルボ８０の右側面側においてホース側接続部８４の軸心と直交する第二中心線Ｂの両側に等角度に当接部９０が位置するように突条８８などを設けることとしても良い。
【００４３】
また、図１２に示すように、水栓本体側接続部６２の軸心と直交する第一中心線Ａの上下においてそれぞれ、第一中心線Ａの両側に等角度に被当接部７０が位置するように突条６８などを設ける一方、エルボ８０の右側面側においてホース側接続部８４の軸心と直交する第二中心線Ｂの両側に等角度に当接部９０が位置するように突条８８などを設けることとしても良い。このような態様においては、エルボ８０のホース側接続部８４は下向き水栓１正面側への回動を規制されるだけでなく、下向き水栓１背面側への回動も規制されることになる。また、この態様においては、突条８８を、エルボ８０の左側面側においてホース側接続部８４の軸心と直交する第二中心線Ｂの両側に等角度に当接部９０が位置するように設けることとしても同様にエルボ８０の回動を規制することができる。
【００４４】
また、前述した図６〜図１２の全ての態様において、ホース側接続部８４を水栓１の上方に向けてエルボ８０をシャワー配管６０に取り付けた場合には、ホース側接続部８４の水栓１正面側への回動範囲を、水栓１下向きに取り付けた場合と同様の角度にて規制することができる。例えば、図６の例においてホース側接続部８４を上向きにして取り付けた場合には、水栓１の左右いずれにエルボ８０を取り付ける場合であっても、水栓１正面側に１１度の角度にて回動を規制することができる。
【図面の簡単な説明】
【００４５】
【図１】本発明の回動規制構造を用いた水栓の斜視図である。
【図２】図１の水栓の右側面視縦断面図である。
【図３】図１の水栓の平面視横断面図である。
【図４】図１の水栓の左側面図である。
【図５】回動規制構造の一部透視分解斜視図である。
【図６】回動規制構造の一部透視側面図である。
【図７】別の回動規制構造の一部透視側面図である。
【図８】さらに別の回動規制構造の一部透視側面図である。
【図９】さらに別の回動規制構造の一部透視側面図である。
【図１０】さらに別の回動規制構造の一部透視側面図である。
【図１１】さらに別の回動規制構造の一部透視側面図である。
【図１２】さらに別の回動規制構造の一部透視側面図である。
【符号の説明】
【００４６】
１；水栓、２；背面部、３；平面部、４；温度調節ハンドル、５；切換ハンドル、６；吐水口、７；シャワーホース、９；カバー、１０；上部カバー、１１；ボディカバー、１２；配管カバー、１３；ボルト、１４；サポートバー、１５；ねじ、１６；安全ボタン、１７；把手、２０；水栓本体、２２；水栓ボディ、２４；温度調節カートリッジ、２６；切換弁カートリッジ、２７ａ，２７ｂ；接続部、２８ａ，２８ｂ；継手、３０；接続部、３２，３４；配管、３６；配管ステー、４０；水栓側接続部、４２；逆流防止弁ユニット、４４；主体部、４５；固定孔、４６；止水栓ユニット、５０；ステー、５２；ねじ、５４；固定部、５５；ワッシャー付きねじ、５６；接続金具、６０；シャワー配管、６２；水栓本体側接続部、６４；エルボ側接続部、６５；雄ねじ、６６；袋ナット、６７；Ｏリング、６８；突条、７０ａ，７０ｂ；被当接部、７２；フランジ、８０；エルボ、８２；シャワー配管側接続部、８４；ホース側接続部、８６；袋ナット、８８；突条、９０ａ，９０ｂ；当接部、９２ａ，９２ｂ；凹部、９３；段部、９４，９５，９６，９７；突条、９８，９９；突起、Ｘ；立壁面、Ｙ；回動規制構造。
【図１】
2008255692.tif 000003
【図２】
2008255692.tif 000004
【図３】
2008255692.tif 000005
【図４】
2008255692.tif 000006
【図５】
2008255692.tif 000007
【図６】
2008255692.tif 000008
【図７】
2008255692.tif 000009
【図８】
2008255692.tif 000010
【図９】
2008255692.tif 000011
【図１０】
2008255692.tif 000012
【図１１】
2008255692.tif 000013
【図１２】
2008255692.tif 000014